(57)【要約】  【課題】  軸筒に保持される媒体の先端部を、不使用時にキャップで覆って保護することができ、キャップの着脱に際して、キャップの軸方向の移動と回転とを確実に行うようにすることができ、キャップが媒体の先端部を覆う状態と、キャップが媒体の先端部を露出させる状態とを簡単に切り替えることができる器具とする。  【解決手段】  レフィール１２を保持する軸筒１０と、レフィール１２の先端部を覆うことが可能なキャップ１６と、該キャップ１６の着脱を行なうべくノック可能に設けられたノック部材１４とを備え、キャップ１６は回転変換機構２２を介してノック部材１４と連結されており、該回転変換機構２２は、ノック部材の軸方向への１回のノックに応じて、キャップ１６を前進させた後、キャップ１６を軸方向に平行な軸を中心として回転させて、次いでキャップ１６を後退させ、ノック部材１４のノックごとに、キャップ１６がレフィール１２の先端部１２ａを覆う状態と、キャップ１６がレフィール１２の先端部１２ａを露出させる状態とが切り替え可能となっている。【選択図】  図１
2006044211.tif 000002
【特許請求の範囲】
【請求項１】
媒体を保持する軸筒と、媒体の先端部を覆うことが可能なキャップと、該キャップの着脱を行なうべく軸筒に対してノック可能に設けられたノック部材と、を備える器具において、
キャップは回転変換機構を介してノック部材と連結されており、
該回転変換機構は、ノック部材の軸方向への１回のノックに応じて、キャップを前進させた後、キャップを軸方向に平行な軸を中心として回転させて、次いでキャップを後退させるものであり、
ノック部材のノックごとに、キャップが媒体の先端部を覆う状態と、キャップが媒体の先端部を露出させる状態とが切り替え可能となったことを特徴とする器具。
【請求項２】
前記回転変換機構は、前記ノック部材に連結されて軸筒内に設けられたスライド用軸孔内でスライド用軸孔に対して回転不能に且つ軸方向に移動可能となったノックカムと、該スライド用軸孔の内周面に設けられて前方に面して軸方向に傾斜したカム面を有するカム本体と、前記キャップと連結されてスライド用軸孔内でスライド用軸孔に対して軸方向に移動可能となった回転カムと、回転カムを後方へと付勢する弾性体と、を備え、ノックカムは、前方に面して軸方向に傾斜したカム面を有しており、回転カムは、ノックカム及びカム本体のカム面によって回転が誘導されることを特徴とする請求項１記載の器具。
【請求項３】
前記ノック部材の１回のノックに応じて、キャップが１８０度回転することを特徴とする請求項１または２記載の器具。
【請求項４】
前記軸筒の先端部には、キャップが媒体の先端部を露出させる状態において、キャップの少なくとも一部を収納する空洞部が設けられることを特徴とする請求項１ないし３のいずれか１項に記載の器具。
【請求項５】
前記媒体が筆記体であることを特徴とする請求項１ないし４のいずれか１項に記載の器具。
【発明の詳細な説明】
【技術分野】
【０００１】
本発明は、軸筒に保持される媒体の先端部を、不使用時にキャップで覆って保護することができる器具に関する。
【背景技術】
【０００２】
従来、器具としての筆記具においては、媒体としての筆記体の先端部の保護のため、筆記媒体の乾燥を防止し、または、周囲を汚したりすることのないよう、不使用時は、筆記体の先端部を覆う必要があり、そのために、キャップを軸筒の先端部に着脱可能に装着する構成とすることが一般的に行われている。
【０００３】
しかしながら、従来のキャップでは、キャップを外すために両手を使わなければならず、その脱着操作が面倒であり、また、外したキャップを紛失するおそれもある。
【０００４】
そのため、キャップをなくしてノック操作で先端筆記部を出没させることができて、インクの漏出、乾燥及び逆流防止の機構を備えたキャップレス筆記具が提案されている（特許文献１参照。）。この特許文献１では、筆記具の本体内に筆記体の前部が貫通し得るガイドが前後移動可能でかつ一定以上の前進を規制するように設けられ、このガイドの先端に、内側面が弾性体よりなるシール蓋が開閉自在に設けられて、シール蓋に糸状部材が連結され、収納時において、該糸状部材がシール蓋を引張り、筆記体の先端をシール蓋の弾性体に密着させており、筆記体の前進時には、糸状部材の引張を緩めてシール蓋のシール状態を解除するようになっている。
【０００５】
【特許文献１】特許第２７１４７８０号公報（第１欄、１２行〜２０行）
【発明の開示】
【発明が解決しようとする課題】
【０００６】
しかしながら、上記特許文献１に記載のものでは、本体内にシール蓋が開閉するためのスペースを設ける必要があるために、筆記体を前進させて本体の先端から突出させるまでのストローク長さが長くなるという問題がある。
【０００７】
本出願人らは、かかる問題を解決するべく、特願２００３−９９０４９号にて、筆記体のストロークを要することなく、筆記体の先端を保護する封止状態と筆記体の先端を解放した封止解除状態とに切替えることができる筆記具を提案している。
【０００８】
この筆記具では、軸筒に筆記体を保持させると共に筆記体の先端部を軸筒よりも前方に突出させ、軸筒内にスライド部材を軸方向に移動自在に設け、このスライド部材の先端部に前記筆記体の先端部を覆うことが可能な封止部材を連結すると共に、スライド部材に、軸筒の外部から操作可能で軸方向に移動可能な操作部を連結している。操作部を操作することにより、スライド部材及び封止部材が軸方向に移動すると共に回動して、封止部材が筆記体の先端を保護する封止状態と筆記体の先端を解放した封止解除状態とに切替えることができるようになっている。
【０００９】
本発明はさらに改良を加えて、封止部材であるキャップの着脱に際して、キャップの軸方向の移動と回転とを確実に行うようにすることができ、キャップが媒体の先端部を覆う状態と、キャップが媒体の先端部を露出させる状態とを簡単に切り替えることができるようにした器具を提供することをその目的とする。
【課題を解決するための手段】
【００１０】
上記目的を達成するために本発明のうち請求項１記載の発明は、媒体を保持する軸筒と、媒体の先端部を覆うことが可能なキャップと、該キャップの着脱を行なうべく軸筒に対してノック可能に設けられたノック部材と、を備える器具において、キャップは回転変換機構を介してノック部材と連結されており、該回転変換機構は、ノック部材の軸方向への１回のノックに応じて、キャップを前進させた後、キャップを軸方向に平行な軸を中心として回転させて、次いでキャップを後退させるものであり、ノック部材のノックごとに、キャップが媒体の先端部を覆う状態と、キャップが媒体の先端部を露出させる状態とが切り替え可能となったことを特徴とする。
【００１１】
請求項２記載の発明は、請求項１記載の前記回転変換機構が、ノック部材に連結されて軸筒内に設けられたスライド用軸孔内でスライド用軸孔に対して回転不能に且つ軸方向に移動可能となったノックカムと、該スライド用軸孔の内周面に設けられて前方に面して軸方向に傾斜したカム面を有するカム本体と、前記キャップと連結されてスライド用軸孔内でスライド用軸孔に対して軸方向に移動可能となった回転カムと、回転カムを後方へと付勢する弾性体と、を備え、ノックカムは、前方に面して軸方向に傾斜したカム面を有しており、回転カムは、ノックカム及びカム本体のカム面によって回転が誘導されることを特徴とする。
【００１２】
請求項３記載の発明は、請求項１または２記載のものにおいて、前記ノック部材の１回のノックに応じて、キャップが１８０度回転することを特徴とする。
【００１３】
請求項４記載の発明は、請求項１ないし３のいずれか１項に記載のものにおいて、前記軸筒の先端部に、キャップが媒体の先端部を露出させる状態において、キャップの少なくとも一部を収納する空洞部が設けられることを特徴とする。
請求項５記載の発明は、請求項１ないし４のいずれか１項に記載のものにおいて、前記媒体が筆記体であることを特徴とする。
【発明の効果】
【００１４】
本発明によれば、キャップが媒体の先端部を覆っている状態でノック部材をノックすると、回転変換機構が、キャップを前進させた後、キャップを軸方向に平行な軸を中心として回転させて、次いでキャップを後退させるので、キャップは媒体の先端部から取り外されて媒体の先端部を露出させる状態とすることができる。反対にキャップが媒体の先端部を露出させている状態でノック部材をノックすると、回転変換機構がキャップを前進させた後、キャップを軸方向に平行な軸を中心として回転させて、次いでキャップを後退させるので、キャップは媒体の先端部に取り付けられて媒体の先端部を覆う状態とすることができる。こうして、ノック部材とキャップとの間に回転変換機構を設けることで、キャップの軸方向の移動と回転とを確実に行なわせしめて、切り替えを可能とすることができる。
【００１５】
１回のノックに応じてキャップが１８０度回転すれば、２回のノックでキャップが元の位置に戻ることができる。
【００１６】
好ましくは、軸筒の先端部に空洞部が設けられていると、媒体の先端部を露出させた状態にあってキャップを使用していないときに、該空洞部内にキャップの少なくとも一部を収納することができて、見栄えを良好にすることができる。
【発明を実施するための最良の形態】
【００１７】
以下、図面を用いて本発明の実施の形態を説明する。
【００１８】
図１及び図２は、本発明の実施形態に係る器具の縦断面図、図３及び図４はその全体図である。図において、器具は、媒体としてのレフィール１２を保持する軸筒１０と、レフィール１２の先端部１２ａを保護するキャップ１６と、キャップ１６の着脱操作をするためのノック部材１４と、を有する筆記具である。
【００１９】
媒体であり筆記体でもあるレフィール１２は、この例では、軸筒１０と別部品であるが、これに限るものではなく、筆記体と軸筒とが一体品で構成されていて、筆記体１２を構成する部分が軸筒１０を構成する部分に実質的に保持されているものであってもよい。また、図示の例では、軸筒１０は一体品で構成されているが、複数部品から構成されるものであってもよい。
【００２０】
レフィール１２は、この例では、フェルトペンであるが、器具としてのボールペン、万年筆、アイライナ、リップライナ、アイシャドウ等の文具用、化粧用等器具に適した任意の筆記媒体または塗付媒体とすることができ、媒体はその種類に適合した先端部１２ａを備えることができる。例えば、器具がボールペンの場合には、先端部１２ａはボールを備え、器具がフェルトペンの場合には、先端部１２ａはフェルト芯を備えている。
【００２１】
軸筒１０は、レフィール１２が収納されるメイン軸孔１０ｂを備えており、その先端開口１０ａからレフィール１２の先端部１２ａが前方に突出している。
【００２２】
また、軸筒１０は、その内部にメイン軸孔１０ｂと平行に軸方向に伸びるスライド用軸孔１０ｃを備えており、該スライド用軸孔１０ｃ内を軸方向に移動可能にノック部材１４が配設される。
【００２３】
ノック部材１４の先端部はスライド用軸孔１０ｃに挿入されたノックカム１４ａとなっており、ノック部材１４の後端部は、軸筒１０から露出したノック操作部１４ｂとなっている。ノックカム１４ａとノック操作部１４ｂとは別部品で構成することも可能である。ノック操作部１４ｂは、軸筒１０に対してノック可能となっており、このノックによりノックカム１４ａはスライド用軸孔１０ｃ内を軸方向に移動するようになっている。ノック操作部１４ｂは、ノックスプリング１５によって常時後方へと付勢されると共に、軸筒１０からの後方への抜け止めがなされている。
【００２４】
軸筒１０の先端部には、レフィール１２の先端部１２ａが突出する先端開口１０ａと並んで、キャップ１６が出入りする第２先端開口１０ｄが形成されており、第２先端開口１０ｄから軸筒１０内にはキャップ１６のキャップ本体１６ａを収納する空洞部１０ｅが形成されている。
【００２５】
キャップ１６は、その先端部に前記キャップ本体１６ａを有すると共に、キャップ本体１６ａから後方へ伸びて、前記スライド用軸孔１０ｃ内を軸方向に移動可能な棒状部１６ｂを有している。キャップ本体１６ａは、レフィール１２の先端部１２ａを覆う位置と、レフィール１２の先端部１２ａを露出させる位置との間で移動可能であり、露出させる位置にあるときには、前記空洞部１０ｅ内に収納されるようになっている。キャップ本体１６ａと棒状部１６ｂとは別部品で構成することも可能である。
【００２６】
キャップ１６の棒状部１６ｂの後端部は、スライド用軸孔１０ｃ内を軸方向に移動可能となった回転カム１７の先端部に形成された受穴１７ｄに挿入されており、キャップ１６は回転カム１７と一体的に連結されている。また、キャップ１６の棒状部１６ｂの外周面には、リターンスプリング１８が巻回されており、リターンスプリング１８は、スライド用軸孔１０ｃ内に固定されたガイド１９と回転カム１７の先端との間に介挿されており、回転カム１７及びキャップ１６を常時後方へと付勢している。
【００２７】
また、軸筒１０の後端部には、メイン軸孔１０ｂの後端を閉塞する尾栓２０が取り付けられている。尾栓２０を適宜取り外し可能としてレフィール１２をメイン軸孔１０ｂの後端から挿入可能としてレフィール１２を交換可能とすると良い。
【００２８】
上記キャップ１６とノック部材１４とは、回転カム１７、スライド用軸孔１０ｃに形成されたカム本体１０ｆ、ノックカム１４ａ及び弾性体であるリターンスプリング１８とから構成される回転変換機構または回転カム機構２２を介して連結される。以下、この回転変換機構２２の構成について説明する。
【００２９】
スライド用軸孔１０ｃの内周面にはカム本体１０ｆが形成される。カム本体１０ｆには、図５（ｂ）の展開図で示したように、１８０度ごとに山１０ｆ１、１０ｆ１が形成され、２つの山１０ｆ１、１０ｆ１の間は、谷となる縦溝１０ｆ２、１０ｆ２となっている。また、山１０ｆ１、１０ｆ１の先端は、前方に面して軸方向に対して傾斜したカム面１０ｆ３、１０ｆ３となっている。
【００３０】
ノックカム１４ａの先端部には、図７の展開図で示したように、その外周面に１８０度ごとに突起１４ａ１、１４ａ１が形成されており、さらに先端面は、１８０度ごとに軸方向に対して傾斜した２種類のカム面１４ａ２、１４ａ３が形成されている。カム面１４ａ２は緩斜面、カム面１４ａ３は急斜面となっており、両者は前方に面し且つ互いに反対向きの傾斜となっている。突起１４ａ１、１４ａ１は、前記カム本体１０ｆの縦溝１０ｆ２、１０ｆ２内にスライド可能に嵌入されており、これによって、ノックカム１４ａはスライド用軸孔１０ｃに対して相対回転不能に且つ軸方向移動可能となっている。
【００３１】
回転カム１７は、図８に示したように、先端が拡径された鍔部１７ａとなっており、鍔部１７ａよりも後方の外周面には、２本の縦リブ１７ｂ、１７ｂが１８０度間隔で形成されている。この縦リブ１７ｂ、１７ｂは、カム本体１０ｆの縦溝１０ｆ２、１０ｆ２内にスライド可能に嵌入される。そして、その縦リブ１７ｂ、１７ｂの後端面は、カム面１７ｃ、１７ｃとなっている。回転カム１７は、スライド用軸孔１０ｃに対して軸方向移動可能に且つ、縦リブ１７ｂ、１７ｂがカム本体１０ｆの縦溝１０ｆ２、１０ｆ２から脱出して前方にあるときにスライド用軸孔１０ｃに対して相対回転可能となっている。
【００３２】
以上のように構成される筆記具の作用を説明する。
【００３３】
非筆記時には、レフィール１２の先端部１２ａを保護するために、キャップ１６のキャップ本体１６ａがレフィール１２の先端部１２ａを覆っている。この状態から筆記するために、ノック操作部１４ｂをノックすると、ノックカム１４ａがスライド用軸穴１０ｃを前進して、その先端が回転カム１７の後端部に当接して、回転カム１７を前進させる（図９（ａ））。
【００３４】
回転カム１７の縦リブ１７ｂ、１７ｂがカム本体１０の縦溝１０ｆ２、１０ｆ２を脱出するとリターンスプリング１８の付勢力によりこの後退と共に回転カム１７のカム面１７ｃ、１７ｃがノックカム１４ａのカム面１４ａ２、１４ａ２に沿ってスライドして、回転カム１７は回転する（図９（ｂ））。さらに、ノック操作部１４ｂのノック力を解除すると、カム本体１０ｆのカム溝１０ｆ２、１０ｆ２に沿ってカム面１７ｃ、１７ｃがスライドして（図９（ｃ））、回転カム１７が１８０度回転した後、縦リブ１７ｂ、１７ｂがカム本体１０の前回と１８０度異なる縦溝１０ｆ２、１０ｆ２内に嵌入し、後退する。
【００３５】
以上の回転カム１７の前進、１８０度回転、後退の運動に伴い、キャップ１６も前進して、キャップ本体１６がレフィール１２の先端部１２ａよりも前進し、棒状部１６ｂを回転中心として１８０度回転し、後退して、先端開口１０ｄを通り空洞部１０ｅへと収納される。これによって、レフィール１２の先端部１２ａが露出して、筆記することができるようになる。
【００３６】
キャップ１６がレフィール１２の先端部１２ａを露出している時のキャップ１６の後退位置は、キャップ本体１６ａの後端が軸筒１０の先端開口１０ｄに当接するか、または回転カム１７の鍔部１７ａがカム本体１０の山１０ｆ１、１０ｆ１に当接するかすることで決まる。キャップ１６は、その一部が空洞部１０ｅ内に収納されるために、筆記時にキャップ１６が邪魔になることはなく、見栄えも良好にすることができる。
【００３７】
筆記が終了して、再びノック操作部１４ｂをノックすると、先と同じようにノックカム１４ａ、カム本体１０ｆ、回転カム１７の協働により、回転カム１７の前進、１８０度回転、後退の運動がなされ、キャップ１６が第２先端開口１０ｄを通り空洞部１０ｅから前進して、棒状部１６ｂを回転中心として１８０度回転し、後退して、レフィール１２の先端部１２ａを覆う。
【００３８】
また、キャップ１６がレフィール１２の先端部１２ａを覆っている時のキャップ１６の後退位置は、キャップ本体１６ａが軸筒１０の先端開口１０ａに当接するか、またはレフィール１２の先端部１２ａに当接することにより、決まる。
【００３９】
以上のように、この実施形態によると、回転変換機構２２により、ノック操作部１４のノックの度に、キャップ１６がレフィール１２の先端部１２ａを覆う状態と、先端部１２ａを露出させる状態とにキャップ１６を切り替えることができ、その切り替えの際に、キャップ１６が１８０度ずつ回転しており、確実にその切り替え動作を行なうことができる。
【図面の簡単な説明】
【００４０】
【図１】本発明の実施形態に係る器具の全体縦断面図であり、キャップが媒体の先端部を覆っている状態を表す。
【図２】図１の器具の全体縦断面図であり、キャップが媒体の先端部を露出させた状態を表す。
【図３】図１の器具の全体図であり、キャップが媒体の先端部を覆っている状態を表す。
【図４】図１の器具の全体図であり、キャップが媒体の先端部を露出させた状態を表す。
【図５】（ａ）は図１の器具の軸筒の縦断面図であり、（ｂ）はカム本体の展開図である。
【図６】（ａ）は図１の器具のノック部材の平面図、（ｂ）は側面図、（ｃ）は（ａ）図のｃ−ｃ線に沿って見た一部の断面図である。
【図７】ノック部材のノックカムの先端部の展開図である。
【図８】（ａ）は図１の器具の回転カムの側面図、（ｂ）は平面図、（ｃ）は（ａ）図のｃ−ｃ線に沿って見た断面図、（ｄ）は（ｂ）図のｄ矢視図である。
【図９】（ａ）〜（ｃ）は回転変換機構の動作を表す図である。
【符号の説明】
【００４１】
１０  軸筒
１０ｃ  スライド用軸孔
１０ｅ  空洞部
１０ｆ  カム本体
１０ｆ３  カム面
１２  レフィール（媒体，筆記体）
１４  ノック部材
１４ａ  ノックカム
１４ａ２  カム面
１６  キャップ
１７  回転カム
１８  リターンスプリング（弾性体）
２２  回転変換機構
【図１】
2006044211.tif 000003
【図２】
2006044211.tif 000004
【図３】
2006044211.tif 000005
【図４】
2006044211.tif 000006
【図５】
2006044211.tif 000007
【図６】
2006044211.tif 000008
【図７】
2006044211.tif 000009
【図８】
2006044211.tif 000010
【図９】
2006044211.tif 000011